(57)【要約】【課題】プーリ４とハウジング６との間に設けられる隙間１０に外部からの浸水を防止する、あるいは隙間１０に入り込んだ水を抜け易くして、防水機能を高めること。【解決手段】プーリ４の側面に形成された凹形部１１と、ハウジング６の側面に形成された凸形部１２との間に略コの字状に屈曲した隙間１０が形成されている。凸形部１２の外周面には、その全周に渡って溝１３が形成されている。この溝１３は、凸形部１２の外周面の反プーリ側に片寄って形成され、プーリ４に設けられた凹形部１１の内周面と軸方向にラップしない部分Ｘを有している。これにより、外部から隙間１０に水が流れ込んだ場合に、その水が溝１３を通ってハウジング６の下方へ流れるため、隙間１０の奥に入り込む水の量を少なくできる。また、溝１３を通ってハウジング６の下方へ流れた水が外部に抜け易くなるので、隙間１０の内部に水が溜まることを防止できる。【選択図】図１
2006136127.tif 000002
【特許請求の範囲】
【請求項１】
ハウジングの側方に突き出る回転軸の端部にプーリが取り付けられ、軸方向に対向する前記プーリの端部と前記ハウジングの端部との間に所定の隙間が設けられている回転電機において、
前記プーリの端部の外周面、または前記ハウジングの端部の外周面、または両外周面に、全周に渡って溝が形成されていることを特徴とする回転電機。
【請求項２】
ハウジングの側方に突き出る回転軸の端部にプーリが取り付けられ、軸方向に対向する前記プーリの端部と前記ハウジングの端部との間に所定の隙間が設けられている回転電機において、
前記プーリの端部の外周面、または前記ハウジングの端部の外周面、または両外周面には、前記所定の隙間から軸方向へ遠ざかるに従って内径側へ傾くテーパが設けられていることを特徴とする回転電機。
【請求項３】
ハウジングの側方に突き出る回転軸の端部にプーリが取り付けられ、軸方向に対向する前記プーリの端部と前記ハウジングの端部との間に所定の隙間が設けられている回転電機において、
前記プーリの端部と前記ハウジングの端部には、両者の一部が前記所定の隙間を有して径方向に対向する径方向壁面が設けられ、前記プーリ側の径方向壁面と前記ハウジング側の径方向壁面のうち、内径側に設けられる径方向壁面の全周に渡って溝が形成されていることを特徴とする回転電機。
【請求項４】
請求項３に記載した回転電機において、
前記所定の隙間には、前記プーリの端部と前記ハウジングの端部との間に、両者の外周端から径方向内側に略真っ直ぐ延びる開口部が形成され、この開口部の径方向内端に前記溝が形成されていることを特徴とする回転電機。
【請求項５】
請求項３または４に記載した回転電機において、
外径側の前記径方向壁面は、内側から外側へ向かって外径方向に傾斜していることを特徴とする回転電機。
【請求項６】
請求項１〜５に記載した何れかの回転電機において、
前記プーリは、前記回転軸の端部に一方向クラッチを介して取り付けられ、
前記一方向クラッチは、前記回転軸の外周に嵌合して前記回転軸と一体に回転する内輪と、この内輪と前記プーリとの間でトルクの伝達を断続する転動体とを有し、この転動体の軸方向両側に配置された一組の軸受により、前記内輪と前記プーリとが相対回転可能に支持されていることを特徴とする回転電機。
【請求項７】
請求項１〜６に記載した何れかの回転電機は、ベルト伝動によってエンジンを始動する始動装置、あるいはエンジンによりベルト駆動されるエンジン補機であることを特徴とする回転電機。
【発明の詳細な説明】
【技術分野】
【０００１】
本発明は、回転軸の端部にプーリが取り付けられた回転電機に係わり、特に防水構造に関する。
【背景技術】
【０００２】
従来技術として、特許文献１に記載されたプーリユニットの取付け構造がある。
このプーリユニットは、図５に示すように、プーリ１００の内径側に一方向クラッチ１１０を配置し、この一方向クラッチ１１０を介して回転軸１２０の端部に取り付けられている。また、軸受１３０を介して回転軸１２０を支持するハウジング１４０の端部に段付き凹部１５０が設けられ、一方、プーリ１００の端部に段付き凸部１６０が設けられて、段付き凹部１５０の内側に所定の隙間１７０を有して段付き凸部１６０が挿入されている。これにより、両者間の隙間１７０がラビリンス構造に形成されるため、外部からの浸水および異物等の侵入を防止できる効果が期待される。
【特許文献１】特開２００２−１３０４３２号公報
【発明の開示】
【発明が解決しようとする課題】
【０００３】
ところが、上記の従来技術では、ハウジング１４０の外周面あるいはプーリ１００の外周面を伝って隙間１７０に水が流れ込むことを防止することはできない。特に、ハウジング１４０の外周面は、隙間１７０に向かって大きく傾斜しているため、図示矢印で示すように、隙間１７０に水が流れ込み易くなっている。
また、ハウジング１４０とプーリ１００との間に設けられる隙間１７０をラビリンス構造にしているため、隙間１７０に一旦水が入ると、却って抜けにくくなり、軸受１３０（図５参照）等が被水する恐れがある。
本発明は、上記事情に基づいて成されたもので、その目的は、プーリとハウジングとの間に設けられる隙間に外部からの浸水を防止する、あるいは隙間に入り込んだ水を抜け易くして、防水機能を高めた回転電機を提供することにある。
【課題を解決するための手段】
【０００４】
（請求項１の発明）
本発明は、ハウジングの側方に突き出る回転軸の端部にプーリが取り付けられ、軸方向に対向するプーリの端部とハウジングの端部との間に所定の隙間が設けられている回転電機において、プーリの端部の外周面、またはハウジングの端部の外周面、または両外周面に、全周に渡って溝が形成されていることを特徴とする。
【０００５】
上記の構成によれば、ハウジングの外周面またはプーリの外周面または両外周面に形成された溝によって水が隙間に流れ込む量を減らすことができる。例えば、ハウジングの外周面に溝が形成されている場合は、ハウジングの外周面を伝って流れる水が溝に流れ込み、その溝を通って下方へ流れるため、ハウジングの外周面を伝って隙間に流れ込む水の量が低減される。また、プーリの外周面に溝が形成されている場合も同様に、プーリの外周面を伝って隙間に流れ込む水の量を低減できる。
【０００６】
（請求項２の発明）
本発明は、ハウジングの側方に突き出る回転軸の端部にプーリが取り付けられ、軸方向に対向するプーリの端部とハウジングの端部との間に所定の隙間が設けられている回転電機において、プーリの端部の外周面、またはハウジングの端部の外周面、または両外周面には、所定の隙間から軸方向へ遠ざかるに従って内径側へ傾くテーパが設けられていることを特徴とする。
【０００７】
上記の構成によれば、例えば、プーリの外周面にテーパが設けられていると、プーリの外周面に掛かった水は、プーリの外周面を隙間と反対方向へ流れ易くなる。同様に、ハウジングの外周面にテーパが設けられていると、ハウジングの外周面に掛かった水は、ハウジングの外周面を隙間と反対方向へ流れ易くなる。これにより、プーリの外周面およびハウジングの外周面を伝って隙間側へ水が流れ難くなるので、外部から隙間に流れ込む水の量を低減できる。
【０００８】
（請求項３の発明）
本発明は、ハウジングの側方に突き出る回転軸の端部にプーリが取り付けられ、軸方向に対向するプーリの端部とハウジングの端部との間に所定の隙間が設けられている回転電機において、プーリの端部とハウジングの端部には、両者の一部が所定の隙間を有して径方向に対向する径方向壁面が設けられ、プーリ側の径方向壁面とハウジング側の径方向壁面のうち、内径側に設けられる径方向壁面の全周に渡って溝が形成されていることを特徴とする。
【０００９】
上記の構成によれば、外部から隙間に水が流れ込んだ場合に、その水が内径側の径方向壁面に形成された溝に受け止められ、その溝を通って下方へ流れるため、隙間から外部に排水される。これにより、隙間に入り込んだ水が内部に溜まり難くなるので、軸受等への浸水を防止できる。
【００１０】
（請求項４の発明）
請求項３に記載した回転電機において、所定の隙間には、プーリの端部とハウジングの端部との間に、両者の外周端から径方向内側に略真っ直ぐ延びる開口部が形成され、この開口部の径方向内端に溝が形成されていることを特徴とする。
上記の構成によれば、溝を通って下方へ流れた水が、溝の径方向外側に向かって延びる開口部を通って外部に抜け易くなるため、内部に水が溜まり難くなる。
【００１１】
（請求項５の発明）
請求項３または４に記載した回転電機において、外径側の径方向壁面は、内側から外側へ向かって外径方向に傾斜していることを特徴とする。
この場合、溝を通って下方へ流れた水が、外径側の径方向壁面を伝って隙間より外部に抜け易くなるため、内部に水が溜まり難くなる。
【００１２】
（請求項６の発明）
請求項１〜５に記載した何れかの回転電機において、プーリは、回転軸の端部に一方向クラッチを介して取り付けられ、一方向クラッチは、回転軸の外周に嵌合して回転軸と一体に回転する内輪と、この内輪とプーリとの間でトルクの伝達を断続する転動体とを有し、この転動体の軸方向両側に配置された一組の軸受により、内輪とプーリとが相対回転可能に支持されていることを特徴とする。
本発明によれば、軸受への浸水を防止でき、安定したクラッチ性能を維持できる。
【００１３】
（請求項７の発明）
請求項１〜６に記載した何れかの回転電機は、ベルト伝動によってエンジンを始動する始動装置、あるいはエンジンによりベルト駆動されるエンジン補機であることを特徴とする。本発明の回転電機は、プーリに掛け渡されるベルトを介してエンジンのクランクプーリに回転力を伝達することにより、エンジン始動を行う始動装置、あるいは、エンジンによりベルト駆動されて回転するエンジン補機（例えば、発電機、コンプレッサ等）に適用できる。
【発明を実施するための最良の形態】
【００１４】
本発明を実施するための最良の形態を以下の実施例により詳細に説明する。
【実施例１】
【００１５】
図１は回転電機１の防水構造を示す断面図である。
実施例１に示す回転電機１は、図３に示すように、ベルト伝動によってエンジン２を始動する始動装置、あるいはエンジン２によりベルト駆動されるエンジン補機（例えば、発電機、コンプレッサ等）であり、エンジン２のクランクプーリ２ａにベルト３を介して連結されるプーリ４を有している。
この回転電機１は、図１に示すように、軸受５（例えばボールベアリング）を介してハウジング６に回転自在に支持された回転軸７を備え、軸受５よりハウジング６の側方（図１の左側）へ突き出る回転軸７の端部に一方向クラッチ８を介してプーリ４が取り付けられている。
【００１６】
一方向クラッチ８は、回転軸７の外周に螺子結合されて回転軸７と一体に回転する内輪８ａと、この内輪８ａとプーリ４との間でトルクの伝達を断続する転動体８ｂ（例えばローラ）とを有し、この転動体８ｂの軸方向両側に配置された一組の軸受９（例えばボールベアリング）により、内輪８ａとプーリ４とが相対回転可能に支持されている。
プーリ４の外周面には、ベルト３（例えばＶリブドベルト）の内周形状に対応してＶ字状の溝４ａが複数並列に形成されている。また、プーリ４の軸方向両端（図１の左右両端）は、プーリ径（溝４ａと溝４ａとの間の山の径）より大きく（高く）設けられ、特に、ハウジング６側の端部は、プーリ４に掛け渡されるベルト３の外周面と略同じ高さ、あるいはそれ以上の高さに設けられている（図１参照）。
【００１７】
軸方向に対向するプーリ４の端部とハウジング６の端部との間には、プーリ４の回転を妨げないように、所定の隙間１０が確保されている。具体的には、図１に示すように、プーリ４の側面に内側（図示左側）へ窪む凹形部１１が形成され、ハウジング６の側面にプーリ４側へ突き出る凸形部１２が形成されて、両者間に略コの字状（図１では逆コの字状）に屈曲した隙間１０が形成されている。
【００１８】
ハウジング６に設けられた凸形部１２の外周面（本発明の径方向壁面）には、その全周に渡って溝１３が形成されている。この溝１３は、図２に示すように、凸形部１２の外周面の反プーリ側（図示右側）に片寄って形成され、プーリ４に設けられた凹形部１１の内周面と軸方向にラップしない部分Ｘ（図１参照）を有している。つまり、プーリ４の端部とハウジング６の端部との間に形成される所定の隙間１０は、プーリ４とハウジング６の外周端から径方向内側に略真っ直ぐ延びる開口部１０ａ（図２参照）を有し、この開口部１０ａの径方向内端に前記溝１３が形成されている。
【００１９】
プーリ４に設けられた凹形部１１の内周面は、図２に示すように、内側（図示左側）から外側へ向かって外径方向に傾斜して設けられている。
プーリ４の端部の外周面４ｂ、およびハウジング６の端部の外周面６ａには、それぞれ前記隙間１０から軸方向へ遠ざかるに従って内径側へ傾くテーパが設けられている。なお、ハウジング６の外周面６ａにテーパを設けることが困難な場合は、プーリ４の外周面４ｂだけにテーパを設けても良い。あるいは、プーリ４の外周面４ｂにテーパを設けることが困難な場合は、ハウジング６の外周面６ａだけにテーパを設けても良い。
【００２０】
次に、本実施例の作用及び効果を説明する。
上記の回転電機１は、プーリ４の外周面４ｂにテーパが設けられているので、プーリ４の外周面４ｂに掛かった水は、図１に矢印Ａで示すように、プーリ４の外周面４ｂを隙間１０と反対方向へ流れ易くなる。また、ハウジング６の外周面６ａにもテーパが設けられているので、ハウジング６の外周面６ａに掛かった水は、図１に矢印Ｂで示すように、ハウジング６の外周面６ａを隙間１０と反対方向へ流れ易くなる。これにより、プーリ４の外周面４ｂおよびハウジング６の外周面６ａを伝って隙間１０側へ水が流れ難くなり、外部から隙間１０に流れ込む水の量を低減できる。
【００２１】
また、ハウジング６に設けられた凸形部１２の外周面に溝１３が形成されているので、外部から隙間１０に水が流れ込んだ場合でも、その水が凸形部１２に形成された溝１３を通ってハウジング６の下方へ流れるため、隙間１０の奥（溝１３より奥）に入り込む水の量を少なくできる。これにより、外部から隙間１０に流れ込む水の量を低減でき、且つ外部から隙間１０に水が流れ込んだ場合でも、隙間１０の奥に入り込む水の量を少なくできるので、軸受５、９等の浸水を防止できる。
【００２２】
また、ハウジング６の凸形部１２に形成された溝１３は、プーリ４に設けられた凹形部１１の内周面と軸方向にラップしない部分Ｘ（図１参照）を有しているので、溝１３を通ってハウジング６の下方へ流れた水は、溝１３の径方向外側に向かって延びる隙間１０の開口部１０ａを通って外部に抜け易くなる。さらに、凹形部１１の内周面が内側から外側へ向かって外径方向に傾斜しているので、凹形部１１の内周面に掛かった水は、図２に矢印Ｃで示すように、凹形部１１の内周面を伝って隙間１０の開口部１０ａへ向かって流れる。この様に、隙間１０に水が流れ込んだ場合でも、その水が外部に抜け易くなるため、隙間１０の内部に水が溜まることを防止できる。
【実施例２】
【００２３】
図４は回転電機１の防水構造を示す拡大断面図である。
この実施例２では、プーリ４の端部の外周面４ｂおよびハウジング６の端部の外周面６ａに溝１４、１５を設けた一例である。
プーリ４の端部の外周面４ｂおよびハウジング６の端部の外周面６ａには、図４に示すように、それぞれ全周に渡って溝１４、１５が凹設されている。これにより、プーリ４の外周面４ｂに掛かった水は、溝１４を通って下方へ流れ、同様に、ハウジング６の外周面６ａに掛かった水は、溝１５を通って下方へ流れるため、隙間１０に流れ込む水の量を低減できる。
この実施例２の構成は、プーリ４の外周面４ｂおよびハウジング６の外周面６ａが隙間１０に向かって内径側へ傾斜している場合、あるいは図４に示すように、回転軸７と略平行に設けられている場合にも適用できる。
【００２４】
（変形例）
実施例１では、ハウジング６に設けられた凸形部１２の外周面に溝１３を形成し、更にプーリ４の外周面４ｂとハウジング６の外周面６ａとにテーパを設けている例を記載したが、それぞれ単独の構成でも防水効果を期待できる。つまり、凸形部１２の外周面に溝１３を形成するだけでも、隙間１０に入り込んだ水が内部に溜まり難く、且つ抜け易くできる効果が得られる。また、プーリ４の外周面４ｂとハウジング６の外周面６ａとにテーパを設けるだけでも、隙間１０に入り込む水の量を低減できる効果が得られる。
【００２５】
実施例１では、プーリ４に凹形部１１を設けると共に、ハウジング６に凸形部１２を設ける例を記載したが、その逆に、ハウジング６に凹形部１１を設けると共に、プーリ４に凸形部１２を設けて、その凸形部１２の外周面に溝１３を形成する構成でも良い。
実施例１では、プーリ４の内径側に一方向クラッチ８を有する回転電機１の一例を示しているが、プーリ４が直接回転軸７に取り付けられる構成、つまり、一方向クラッチ８を持たない回転電機１にも本発明を適用できる。
【図面の簡単な説明】
【００２６】
【図１】回転電機の防水構造を示す断面図である（実施例１）。
【図２】図１に示す防水構造の拡大断面図である（実施例１）。
【図３】ベルト伝動システムの構成図である。
【図４】回転電機の防水構造を示す拡大断面図である（実施例２）。
【図５】回転電機の防水構造を示す断面図である（従来技術）。
【符号の説明】
【００２７】
１    回転電機（始動装置、エンジン補機）
２    エンジン
４    プーリ
４ｂ  プーリの外周面
６    ハウジング
６ａ  ハウジングの外周面
７    回転軸
８    一方向クラッチ
８ａ  内輪
８ｂ  転動体
９    一組の軸受
１０    所定の隙間
１０ａ  開口部
１１    プーリの側面に形成された凹形部（径方向壁面）
１２    ハウジングの側面に形成された凸形部（径方向壁面）
１３    凸形部の外周面に形成された溝
１４    プーリの外周面に凹設された溝
１５    ハウジングの外周面に凹設された溝
【図１】
2006136127.tif 000003
【図２】
2006136127.tif 000004
【図３】
2006136127.tif 000005
【図４】
2006136127.tif 000006
【図５】
2006136127.tif 000007